(57)【要約】【課題】作業性に優れ、作業時間も大幅に短縮することができる蓮根田用の肥料散布装置を提供せんとするものである。【解決手段】牽引車輌１と、この牽引車輌１に装着された代掻作業機５と、肥料散布装置１５とからなり、前記肥料散布装置１５は田舟１２の上に載置され、代掻作業中に肥料散布を可能とすべく散布駆動手段２６を設ける。前記散布駆動手段は独立した原動機２６で構成するか、あるいは、牽引車輌１側のＰＴＯ系４、５８で構成する。更に肥料散布装置１５の肥料放出口の高さを調整可能に構成し、代掻作業機を水田車輪５で形成する。【選択図】　　　　　図１
2004057082.tif 000002
【特許請求の範囲】
【請求項１】
牽引車輌１と、この牽引車輌１に装着された代掻作業機５と、肥料散布装置１５とからなり、前記肥料散布装置１５は田舟１２の上に載置され、代掻作業中に肥料散布を可能とすべく散布駆動手段２６が設けられていることを特徴とする蓮根田用肥料散布装置。
【請求項２】
前記散布駆動手段が独立した原動機２６であることを特徴とする請求項１記載の蓮根田用肥料散布装置。
【請求項３】
前記駆動手段が牽引車輌１側のＰＴＯ系４、５８で構成されていることを特徴とする請求項１記載の蓮根田用肥料散布装置。
【請求項４】
牽引車輌１が歩行型動力農機で構成されると共に、代掻作業機が水田車輪５で形成されていることを特徴とする請求項１乃至請求項３記載の蓮根田用肥料散布装置。
【請求項５】
肥料散布装置１５の肥料放出口が高さ調整可能に構成されていることを特徴とする請求項１乃至請求項４記載の蓮根田用肥料散布装置。
【発明の詳細な説明】
【０００１】
【発明の属する技術分野】
この発明は、蓮根田に肥料を散布する肥料散布装置に関する。
【０００２】
【従来の技術及び発明が解決しようとする課題】
従来、蓮根田に肥料を散布する場合は、専用の動力散布機や手作業で散布するのが普通であった。この肥料散布作業にあたっては、通常はまず最初に代掻作業を行い、続いて肥料を散布する方法が取られている。
【０００３】
例えば、１０ａあたりの作業を例に挙げると、代掻作業に約２時間、引き続いて行なわれる肥料散布作業に約１時間の工数を取られるのが一般的であるが、蓮根田は湿田地域が多いことから代掻作業後に作業者が湿田の中に入り手作業で肥料散布作業を行なうことは困難を極めている。
【０００４】
【課題を解決するための手段】
この発明は、このような不具合に鑑みて提案するものであって、作業性に優れ、作業時間も短縮することができる装置を提供せんとするものであり、このため、次のような技術的手段を講じた。
【０００５】
即ち、請求項１の発明は、牽引車輌１と、この牽引車輌１に装着された代掻作業機５と、肥料散布装置１５とからなり、前記肥料散布装置１５は田舟１２の上に載置され、代掻作業中に肥料散布を可能とすべく散布駆動手段２６が設けられていることを特徴とする蓮根田用肥料散布装置の構成とした。
【０００６】
請求項２の発明は、前記散布駆動手段が独立した原動機２６であることを特徴とする請求項１記載の蓮根田用肥料散布装置とした。
更に請求項３の発明では、前記駆動手段が牽引車輌１側のＰＴＯ系４、５８で構成されていることを特徴とする請求項１記載の蓮根田用肥料散布装置とした。
【０００７】
請求項４の発明は、牽引車輌１が歩行型動力農機で構成されると共に、代掻作業機が水田車輪５で形成されていることを特徴とする請求項１乃至請求項３記載の蓮根田用肥料散布装置とした。
請求項５の発明は、肥料散布装置１５の肥料放出口が高さ調整可能に構成されていることを特徴とする請求項１乃至請求項４記載の蓮根田用肥料散布装置の構成とした。
【０００８】
前記構成による作用は次の通りである。
牽引車輌に代掻作業機を装着して代掻作業を行い、同時に散布作業装置を駆動して肥料を散布すると、代掻きされたばかりの土壌中に肥料が混入しやすくなり、蓮根田全面に亘って肥料を均一に散布することができる。
【０００９】
この場合、肥料散布装置は田舟の上に載置されているので人が肥料を背負って湿田の中を歩行しながら散布する必要がなく、作業者は牽引車輌に乗って、あるいはこれに連結される田舟に乗ったまま蓮根田内を移動できるので作業が楽であり、しかも代掻と肥料散布作業が同時に行なえるから従来に比べて作業時間も大幅に短縮される。
【００１０】
【発明の実施の形態】
以下、図面に基づいて、この発明の実施例を説明する。まず、構成から説明すると、１は牽引車輌としての歩行型動力農機で、この動力農機１は機体前部にエンジン２を備え、このエンジン２の回転動力を車軸３とＰＴＯ軸４に伝えるように構成している。
【００１１】
車軸３には通常は左右一対のゴムタイヤを装着するが、この実施例では代掻作業が可能な水田車輪５，５を装着している。水田車輪としては、かご型車輪やスパイラル車輪が用いられる。また、動力農機１の後部には側面視コ字型のヒッチ７が設けられ、このヒッチ７に牽引杆９を介して第一の田舟８が連結される。田舟８はオペレータが乗るもので、上面はフラットに構成され、田舟８の周囲接合部は水の浸入を防止すべくコーキング処理がなされている。この第一田舟８の後方には牽引杆１０を介して第二の田舟１２が連結されている。この第二の田舟１２は後述する肥料散布装置１５を載置固定するものであり、次のように構成される。
【００１２】
即ち、田舟１２の上面に複数個の角パイプ１６，１６…を井桁状に組んで基台１８を構成し、この基台１８の上に伝動ケース２０を設け、この伝動ケース２０をフレームに形成した長孔２１，２１の範囲内で前後に移動調節ができるように構成している。
【００１３】
この長孔２１，２１は肥料散布装置１５全体の前後バランスを調整するために設けられたもので、肥料ホッパ２２内に収容される肥料の量が多く、重心が後方へ大きく移動しすぎている場合には伝動ケース２０自体を前方へ移動させ、逆の場合は後方へ移動させる。調整量はこの長孔２１，２１の範囲内であり、調節後にはボルト・ナット等の締付具２４を介して伝動ケース２０を固定する。
【００１４】
また、伝動ケース２０の前側上面には独立したガソリンエンジン２６が設けられ、このエンジン２６の出力軸２７には出力プーリ２８が固着されている。
一方、伝動ケース２０のエンジン２６の出力軸２７から後方へ適当距離離れた箇所には出力軸２７と平行に入力軸２９が設けられ、この入力軸２９の上下に２段のプーリ３０，３２が固着されている。
【００１５】
下側のプーリ３０と出力プーリ２８との間にはベルト３４が巻き掛けられ、肥料ホッパ２２内の回転体３５と一体の攪拌用アジテータ軸３７下端のプーリ４０との間にもベルト４２が巻き回されている。
肥料ホッパ２２の下部には開口量を調節するシャッター４４が設けられ、その下方には肥料案内管４５が後方へ向けて延設されている。
【００１６】
肥料案内管４５の後端は前記入力軸２９上端に固着した回転羽根４８に臨み、放出された肥料が回転羽根４８で遠くへ飛ばされるように構成している。
なお、図４は肥料散布装置１５の一部に改良を加えたもので、肥料の放出距離を変えるべく伝動ケース２０後部と田舟１２の間にねじ式の高さ調節機構５０を介在させたものである。
【００１７】
具体的には内周にねじ部を有する筒体５１と外周にねじ部を有する棒体５２とが螺合しており、ベベルギヤ機構５３と連動したハンドル５５を回すことにより、筒体５１が回され、ねじ部が伸縮して伝動ケース２０が支点４９を中心として回動し、その後部の高さが変わるように構成している。
【００１８】
図５は独立したエンジン２の代わりに動力農機１のＰＴＯ軸４から動力を取って回転羽根４８を駆動する例を示したものである。
図中符号５８はフレキシブルな伝動軸であって、この伝動軸５８の一端をＰＴＯ軸４に接続し、他端を伝動ケース２０の入力軸２９に伝え、更に伝動ケース２０内のベルト３４等を介して回転羽根４８を駆動するようにしている。
【００１９】
なお、図示は省略したが、動力農機１側にクラッチ機構を設け、操縦ハンドル５９の手元にクラッチレバー６０を設け、このクラッチレバー６０で回転動力を入切できるように構成すれば、走行系とは独立して肥料散布装置１５側の動力を入切できる。このようにクラッチ機構を介在させれば、畦際での旋回時は肥料散布を中断させ、旋回完了と同時に肥料散布を再開させることができる。
【００２０】
また、動力農機１のＰＴＯ軸４から肥料散布装置１５への動力の伝達の仕方は上述のようなフレキシブルな伝動軸５８に限らず、伸縮自在でかつ屈曲自在なユニバーサルジョイントを連設して構成しても良い。
次に上例の作用について説明する。
蓮根田に歩行型動力農機１を乗り入れ、エンジン２の回転動力を車軸３に伝えて水田車輪５，５を回転させる。オペレータは第一の田舟８の上に乗って機体を操り、この状態で湿田の中を走行させて回転する車輪で代掻きを行なう。
【００２１】
第二の田舟１２上には肥料散布装置１５が搭載され、独立したエンジン２によって駆動されているので、このエンジン２の回転動力が攪拌用アジテータ軸３７と回転羽根４８に伝達され、肥料ホッパ２２内の肥料はアジテータ軸３７で攪拌されながら順次下の方に繰出され、肥料案内管４５を通ってその案内管４５端部から回転羽根４８に向けて放出される。
【００２２】
このとき、回転している羽根４８によって肥料は遠くへ飛ばされ、代掻後の土壌面上に放てきされ、やがて土中に埋没させられる。
肥料の多少、あるいは土壌の硬軟により田舟１２の沈下量が変わり、肥料の放出距離が変わるような場合には、図４に示すハンドル５５を適宜回してねじ部の調節を行ない、肥料案内管４５の放出口の角度を調節変更するものである。
【００２３】
なお、この実施例では、歩行型動力農機１と肥料散布装置１５を載置する第二田舟１２との間に作業者が乗る第一の田舟８を設ける構成としたが、動力農機１側に直接座席を設けてもよく、あるいは第二田舟１２側に作業者が立つ空間部を形成するようにしても良い。
【００２４】
また、操縦ハンドル５９の旋回操作に連動させてエンジン２の回転数を絞ったり、旋回操作に連動させて肥料散布装置１５側への動力伝達を断つ連動機構を入れるようにしても良く、そのような連動機構を介在させれば旋回時に不必要に肥料を散布してしまうような不都合は生じない。
【００２５】
また、この実施例では代掻作業機として水田車輪を用いたが、代掻爪を有する本格的なロータリ式代掻装置を動力農機１の後部に連結し、このロータリ式代掻装置で代掻した後に肥料散布装置１５で肥料を散布するように構成してもよい。
【００２６】
【発明の効果】
請求項１の発明は、牽引車輌１と、この牽引車輌１に装着された代掻作業機５と、肥料散布装置１５とからなり、前記肥料散布装置１５は田舟１２の上に載置され、代掻作業中に肥料散布を可能とすべく散布駆動手段２６が設けられていることを特徴とする蓮根田用肥料散布装置構成したものであるから、作業時間が大幅に短縮されると共に、作業者にかかる負担も軽減されるものである。
【００２７】
また、請求項２の発明は、散布駆動手段が独立した原動機２６であることを特徴とする請求項１記載の蓮根田用肥料散布装置としたので、肥料散布部に至る動力伝達系の構造が簡潔となり、代掻・肥料散布作業から他の作業への移行も迅速に行なえる特徴を有する。
【００２８】
また、請求項３の発明は、前記駆動手段が牽引車輌１側のＰＴＯ系４、５８で構成されていることを特徴とする請求項１記載の蓮根田用肥料散布装置としたので、特別な駆動手段が不要となり牽引車輌１側に備わっているＰＴＯ軸をそのまま利用できるので散布装置全体を安価に製造できるものである。
【００２９】
請求項４の発明は、牽引車輌１が歩行型動力農機で構成されると共に、代掻作業機が水田車輪５で形成されていることを特徴とする請求項１乃至請求項３記載の蓮根田用肥料散布装置としたので、装置全体の構成が簡潔となり、製造コストを廉価なものにできる。
【００３０】
また、請求項５では、肥料散布装置１５の肥料放出口が高さ調整可能に構成されていることを特徴とする請求項１乃至請求項４記載の蓮根田用肥料散布装置としたので、肥料の量、土壌の硬軟に左右されることなく、作業者が望む位置、距離に肥料を飛ばすことができることになって、肥料が無駄になることもなく作業性も向上するものである。
【図面の簡単な説明】
【図１】肥料散布装置の側面図である。
【図２】肥料散布装置の平面図である。
【図３】要部の側断面図である。
【図４】一部構成を代えた要部の側断面図である。
【図５】耕耘機から動力を得て駆動する実施態様の作用説明図である。
【符号の説明】
１　　　歩行型動力農機
２　　　エンジン
３　　　車軸
４　　　ＰＴＯ軸
５　　　水田車輪
８　　　第一田舟
１２　　第二田舟
１５　　肥料散布装置
２２　　肥料ホッパ
２６　　エンジン
４８　　回転羽根
【図１】
2004057082.tif 000003
【図２】
2004057082.tif 000004
【図３】
2004057082.tif 000005
【図４】
2004057082.tif 000006
【図５】
2004057082.tif 000007